(57)【要約】【課題】  エアハンドリングユニット熱交換器アルミフィン（ＡＨＵアルミフィン）を高圧洗浄機のノズルにアダプターを装着して熱交換器アルミフィンを正面と裏面の両方向から洗浄する新規な手段を提供する。【解決手段】  ＡＨＵアルミフィンの構造特性を利用して、空気流に対向する汚れのひどい面及びその１８０度の裏面、両方向から高圧洗浄機に次の工夫を加えてＡＨＵアルミフィンを洗浄する。高圧洗浄機のノズル部に軟質性のバッド付アダプターを装着して、フィンの隙間に該パッドを食い込ませて、フィン間をガイドにノズルを垂直に移動、アルミフィンを洗浄することを特徴とする洗浄方法の提供である。【選択図】図２
2007303800.tif 000002
【特許請求の範囲】
【請求項１】
熱交換器アルミフィンのフィン間の隙間に挿入するブラシを装備した軟質性のアダプターを高圧洗浄機のノズル先端部に装着してフィン間の隙間方向、一般には垂直方向に移動、さらに該アダプターを介してアルミフィンの面に密着させながら挿入したフィン間をガイドにして垂直方向に該ノズルを移動する方法で高圧洗浄機からの薬液を噴射して洗浄作業を行うことを特徴とするエアハンドリングユニット熱交換器アルミフィンの洗浄方法。
【請求項２】
請求項１に記載したエアハンドリングユニット熱交換器アルミフィンの洗浄方法において、ブラシを装備した軟質性のアダプターのブラシのピッチを熱交換器アルミフィンのフィンピッチの寸法、約２〜３ｍｍあるいはフィンピッチの整数倍に設計することを特徴とする該アダプター。
【請求項３】
請求項１に記載したエアハンドリングユニット熱交換器アルミフィンの洗浄方法において、ブラシを装備した軟質性のアダプターの目視できる箇所に垂直方向への移動のガイドとなる目印を刻印あるいは突起物等で分かるようにしたことを特徴とする該アダプター。
【発明の詳細な説明】
【技術分野】
【０００１】  本発明はエアハンドリングユニット（以下、ＡＨＵと略す）の熱交換器アルミフィン（以下、アルミフィンと略す）を高圧洗浄機で薬液洗浄する方法に関する。
【背景技術】
【０００２】  発明者等は、壁掛け型エアコンコンディショナ（以下、エアコンと略す）に関して、そのアルミフィンや送風ファンの洗浄する方法において、前面パネルを取り外し専用の洗浄カバーで密封して洗浄する方法の特許を登録（特許文献１）している。
【特許文献１】  特許第３４０６０３８号公報
【０００３】  上記特許以外のエアコン洗浄の方法に関するものは、次の特許が出願されている。
【特許文献２】  特開平０９−１１９７９７号公報
【特許文献３】  特許第２６７３６８１号公報
【特許文献４】  特許第３１７６８９６号公報
【０００４】  特許文献２では、壁掛け型エアコンに対して漏斗状の捕捉部をエアコンの下部に取り付けて、洗浄排液を該捕捉部で受け止め排水ホースを介して排水収納容器に回収していることを特徴にしている。【０００５】  特許文献３では、天埋め型エアコンに対して、回転させながら上下動作をする洗浄ノズルを熱交換機内に設置、漏斗状のホッパーでハウジング全体を養生して、人間に代わって機械が自動的に熱交換器アルミフィンを洗浄することを特徴とする洗浄方法である。【０００６】  特許文献４では、室内機前面パネルを外すのみで養生をせず、ファイバースコープで汚れを観察しながら、特殊なノズルで天埋め型エアコンの熱交換器アルミフィンを洗浄することを特徴にしている。
【発明の開示】
【発明が解決しようとする課題】
【０００７】  従来の洗浄方法（特許文献１、２，３，４）は、壁掛け型エアコン、天埋め型エアコン及び天吊り型エアコンの室内機を対象にしたものである。ＡＨＵの保守点検作業においては、前面フィルター及び中性フィルターあるいは高性能フィルターを交換あるいは該フィルターの清掃作業に限られていた。ＡＵＨのアルミフィンは長年の使用で汚れていても高圧洗浄機で洗浄する方法はなかった。本発明では、ＡＨＵのアルミフィンを薬液と高圧洗浄機による洗浄作業に関するもので、該洗浄作業を能率よく、安全に行う新規な洗浄方法を提供するにある。
【課題を解決するための手段】
【０００８】上記目的を達成するため本発明による洗浄方法は、アルミフィンのフィン間の隙間に挿入できるブラシを備えた軟質性のアダプターを高圧洗浄機のノズル先端部に装着して、アルミフィンの隙間方向、一般には垂直方向に移動、さらにアルミフィンの面に密着させながら該ノズルを垂直方向に移動する方法で洗浄作業を行うことを特徴にしている。
【発明の効果】
【０００９】  上記したように本発明では、アルミフィンのフィン間の隙間に挿入できるブラシを備えた軟質性のアダプターを高圧洗浄機のノズル先端部に装着して、アルミフィンの隙間方向、一般には垂直方向に移動、さらにアルミフィンの面に密着させながら該ノズルを移動する方法で洗浄作業を行うことにより、高圧洗浄機の噴射水圧でアルミフィンを変形破損することなく、アルミフィンの奥まで確実にきれいに洗浄できる効果がある。また、アルミフィンをきれいに洗浄することにより、熱交換器の効率が改善され電気消費量が軽減できる効果及び前面フィルター及び中性能フィルターあるいは高性能フィルターの交換回数を低減する効果がある。また、アルミフィンをきれいにすることにより、衛生的な安全な空気を室内に送り込む効果がある。さらに、高圧洗浄機のノズルから噴射した洗浄液が飛散して作業者に危害を与えない効果がある。また、高圧洗浄機のノズルから噴射した洗浄液が周辺に飛散するのを防止しているので、アルミフィン内部を効率的に洗浄する効果がある。
【発明を実施するための最良の形態】
【実施例１】
【００１０】  以下、本発明の実施の形態を図１〜図８で説明する。【００１１】  図１はＡＨＵの概略構成図である。図１においては、１は筐体、２は前面フィルター、３は中性能フィルター、４はアルミフィン、５は加湿器、６は送風ファン、７は送風ファンを駆動するモータ、１１は空気流入口、１２は空気供給口、１３，１４は空気の流れを示すものである。空気は１１から入って、１２から出て行く。室内の粉塵等の汚れは、前面フィルター２及び中性能フィルター３で捕獲されるが、長年の使用では必然的にアルミフィン４も汚れており、薬液洗浄が必要な状態である。ＡＨＵに装備してあるアルミフィン４の大きさは特許文献１〜４のそれらと比べると１０倍以上大型である。該アルミフィン４の厚みＮは２００〜９００ｍｍ程度で前記の１０倍以上あり、奥まできれいに洗浄するには、５〜７ＭＰａ程度の水圧が必要である。この水圧をアルミフィン４に噴射した場合、アルミフィンの厚みは０．３ｍｍ程度と薄いので少しでも斜めから薬液を噴射するとアルミフィン４は水圧で変形破損する危険がある。なお、特許文献１〜４に示すエアコンのアルミフィンの厚さＮの寸法は、２０〜１００ｍｍ程度であり、これらのアルミフィンが変形破損しない水圧、３ＭＰａ以下で十分にきれいになることを確認している。【００１２】  図２、図３、図４に本発明の請求項１による洗浄方法を示す。図２はアルミフィンの外観図である。一般にはアルミフィン４と銅管２０から構成、銅管２０に冷水あるいは温水を流してアルミフィン４を介して熱交換する構造である。アルミフィン４のピッチＰは経験的に約２〜３ｍｍであり、その厚みはお０．３ｍｍ程度の薄いアルミニューム製の板である。外形形状Ｌ、Ｍ、Ｎの大きさは建物に応じて各種あり、Ｌ、Ｍ：１〜３ｍ、Ｎ：０．２〜０．９ｍ位の大きさである。図３はアルミフィンＡ−Ａ′部にブラシ付アダプター２１を当てた状態を示す。図４はその断面図で、ブラシ２２はアルミフィン４の中に挿入されている。ブラシを含むアダプターは軟質性の材料、たとえばゴム、ポリプロピレン等の素材であるので、アルミフィンを傷めずに容易にフィン隙間に挿入することができる。ノズル２３からの噴射の薬液はアルミフィン４に垂直に当たるので、５〜７ＭＰａ程度の水圧ではアルミフィンを変形破損することはない。また噴射の薬液もアルミフィンの奥まで到達するのでアルミフィンの奥の汚れを取り除くことができる。ピストルガン２４の移動はＡからＡ′方向あるいはＡ′からＡ方向の垂直方向に移動することになる。アルミフィンの洗浄には専用の薬液２５で洗浄、その後清水で薬液を洗い流す工程が一般的である。この際、アルミフィンに付着した薬液を完全に取り去るためには、上記の水圧で多量の水を高圧洗浄機で噴射する必要がある。
【実施例２】
【００１３】  図５、図６は請求項２を説明する図である。図５は正面図、図６は側面図である。図においてブラシのピッチＰ’をアルミフィンのピッチＰに合わせて設計したものである。これにより、ブラシのアルミフィンへの挿入を容易にして作業性を向上させたものである。なお、ブラシのピッチＰ’をアルミフィンのピッチＰの整数倍に設計しても同様な効果がある。
【実施例３】
【００１４】  図７、図８は請求項２を説明する図である。図７は正面図、図８は側面図である。図において目印２６，２７をアダプター２１に設けたものである。２６と２７は直角位置に配置してある。これらの目印２６，２７を目視しながら洗浄機のピストルガンを垂直に移動、アルミフィンの洗浄作業を安全に行うことができる。
【産業上の利用可能性】
【００１５】  本発明の利用分野は、ＡＨＵ以外の小型エアコン、壁掛け型、天埋め型、天吊型、床置き型等のアルミフィン及びアルミフィンを利用している各種の機器、冷凍庫、冷蔵庫、冷凍商品ケース、恒温恒湿室等である。
【図面の簡単な説明】
【図１】本発明第１の実施形態を説明するためのエアハンドリングユニットの構成図
【図２】本発明第１の実施形態を説明するための熱交換器アルミフィンの構成図
【図３】本発明第１の実施形態を説明する図（正面図）
【図４】図３の断面図
【図５】本発明第２の実施形態を説明する図（正面図）
【図６】図５の断面図
【図７】本発明第３の実施形態を説明する図（正面図）
【図８】図７の断面図
【符号の説明】
【００１６】１  エアハンドリングユニットの筐体
２  前面フィルター
３  中性能フィルター
４  熱交換器アルミフィン
５  加湿器
６  送風ファン
７  モータ
１１  空気流入口
１２  空気供給口
１３  空気流入方向
１４  空気供給方向
２０  銅管
Ｌ、Ｍ、Ｎ  アルミフィンの外観寸法
Ｐ  アルミフィンのピッチ寸法
Ｐ’  ブラシのピッチ
２１  ブラシ付アダプター
２２  ブラシ
２３  ノズル
２４  ピストルガン
２５  噴射した薬液
２６，２７  目印となる突起物
【図１】
2007303800.tif 000003
【図２】
2007303800.tif 000004
【図３】
2007303800.tif 000005
【図４】
2007303800.tif 000006
【図５】
2007303800.tif 000007
【図６】
2007303800.tif 000008
【図７】
2007303800.tif 000009
【図８】
2007303800.tif 000010
【手続補正書】
【提出日】平成18年12月22日(2006.12.22)
【手続補正１】
【補正対象書類名】特許請求の範囲
【補正対象項目名】全文
【補正方法】変更
【補正の内容】
【特許請求の範囲】
【請求項１】
エアハンドリングユニットを構成する熱交換器アルミフィンの空気流の流れに対向する面と該熱交換器アルミフィンの１８０度の面、両面を高圧洗浄機に薬液を使用して洗浄するに当たり、該熱交換器アルミフィンのフィンの隙間に食い込む軟質性のパッドを備えたアダプターを高圧洗浄機のノズル先端部に装着して、該アダプターをアルミフィンの面に密着させてフィンの隙間をガイドにしてノズルを移動しながら高圧洗浄機からの薬液を噴射して洗浄作業を行うことを特徴とするエアハンドリングユニット熱交換器アルミフィンの洗浄方法。
【手続補正２】
【補正対象書類名】明細書
【補正対象項目名】全文
【補正方法】変更
【補正の内容】
【発明の詳細な説明】
【技術分野】
【０００１】  本発明はエアハンドリングユニット（以下、ＡＨＵと略す）の熱交換器アルミフィン（以下、アルミフィンと略す）を高圧洗浄機で薬液洗浄する方法に関する。
【背景技術】
【０００２】  発明者等は、壁掛け型エアコンコンディショナ（以下、エアコンと略す）の室内機に関して、そのアルミフィンや送風ファンの洗浄する方法において、室内機の前面パネルを取り外し専用の洗浄カバーで密封して洗浄する装置の特許を登録（特許文献１）している。【特許文献１】特許第３４０６０３８号公報
【０００３】  上記特許以外のエアコン洗浄の方法及び該装置に関するものは、次の特許が出願されている。【特許文献２】特開平０９−１１９７９７号公報
【特許文献３】特許第２６７３６８１号公報
【特許文献４】特許第３１７６８９６号公報
【０００４】  特許文献２では、壁掛け型エアコンに対して漏斗状の捕捉部をエアコンの下部に取り付けて、洗浄廃液を該捕捉部で受け止め排水ホースを介して廃液収納容器に回収していることを特徴にしている。【０００５】  特許文献３では、天埋め型エアコンに対して、回転させながら上下動作をする洗浄ノズルを熱交換機内に設置、漏斗状のホッパーでハウジング全体を養生して、人間に代わって機械が自動的に熱交換器アルミフィンを洗浄することを特徴とする洗浄方法である。【０００６】  特許文献４では、室内機前面パネルを外すのみで養生をせず、ファイバースコープで汚れを観察しながら、特殊なノズルで天埋め型エアコンの熱交換器アルミフィンを洗浄することを特徴にしている。
【発明の開示】
【発明が解決しようとする課題】
【０００７】  従来の洗浄装置及び洗浄方法（特許文献１、２，３，４）は、壁掛け型エアコン、天埋め型エアコン及び天吊り型エアコンの室内機を対象にしたものであり、本発明の対象物に比べて小さいものである。一般にそのアルミフィンの大きさは、０．２〜１平方メートル程度の面積であり、アルミフィンの奥行きは、２０〜１００ｍｍ程度である。アルミフィン素材のアルミニューム片の厚さは０．１〜０．３ｍｍ程度である。アルミフィンは非常に薄いアルミニューム片であるので指で押す程度の圧力で変形破損する問題がある。従来のエアコンは、空気の流れに対向する汚れのひどい面以外は洗浄できない構造になっているので、上記した厚さのアルミフィンの裏面まで突き抜ける程度の水圧３〜５Ｍｐａで洗浄するが必要であった。一方、ＡＨＵのアルミフィンの大きさ、面積は前記エアコンの１０〜１００倍程度、奥行きは２００〜９００ｍｍと厚い。ところが、熱交換器の設計上の制限からアルミフィン素材は同じものを使用しているので指で押す程度の圧力で変形破損する問題が同様にあった。従来の高圧洗浄機で５ＭＰａに水圧を上げてＡＨＵアルミフィンを洗浄すると、アルミフィンに対して直角に水圧を当てる場合は変形破損の心配はないが、少しでも斜め方から水圧がアルミフィンに当たるとアルミフィンが変形破損する問題がある。変形破損しない３ＭＰａ以下の水圧で洗浄すると奥まで届かず、アルミフィンの中央部及び裏面がきれいに洗浄できない問題があった。したがって、ＡＨＵの保守点検作業においては、前面フィルター及び中性フィルターあるいは高性能フィルターを交換あるいは該フィルターの清掃作業に限られていた。ＡＵＨのアルミフィンは長年の使用で汚れていても黙視され手付かず状況であった。また、薬液も強アルカリ性の危険な薬品で洗浄しているので、作業者は目に入らないように、手で直接触れないようにするため、ゴーグル及びゴム手袋等を着用するなどの防御が必要であった。本発明では、ＡＨＵのアルミフィンを従来の高圧洗浄機を利用して、工夫を加えることにより洗浄作業を可能したもので、該洗浄作業を安全に能率よく行う新規な洗浄方法を提供するにある。
【課題を解決するための手段】
【０００８】  上記した課題を解決するため本発明による洗浄方法は、次に説明するアダプターを従来の高圧洗浄機のノズルに装着して使用、ＡＨＵアルミフィンの構造の特性を利用して、空気流の流れに対向する面（以下、正面という）とその１８０度の面（以下、裏面という）、両面を洗浄することにより解決するものである。その際アルミフィンのフィン間の隙間に食い込む軟質性のパッドを備えたアダプターを高圧洗浄機のノズル先端部に装着し、アルミフィンの面に該アダプターを密着させながら、アルミフィンの隙間をガイドにしてフィンの隙間方向（一般には垂直方向）に該ノズルを移動しながら洗浄作業を行うことを特徴にしている。
【発明の効果】
【０００９】  上記したように本発明では、ＡＨＵの構造特性を利用して該アルミフィンの正面と裏面の両方から洗浄する方法を採用したので、従来のエアコンの洗浄に使用している高圧洗浄機の水圧でＡＨＵアルミフィンを変形破損することなく洗浄できる効果がある。さらに安全に洗浄するための工夫として、アルミフィンのフィンの隙間に食い込む軟質性のパッドを備えたアダプターを高圧洗浄機のノズル先端部に装着してアルミフィンの面に密着させながらアルミフィンの隙間方向、一般には垂直方向に移動、該ノズルをアルミフィンの隙間をガイドにして移動する方法で洗浄作業を行うことにより、高圧洗浄機の噴射水圧でアルミフィンを変形破損することなく、アルミフィンの奥まで安心して洗浄できる効果がある。アルミフィンの隙間をガイドにして該アダプターを上下に垂直に移動、洗浄作業を行うことにより、作業中にノズル操作にぶれがあっても水圧でアルミフィンを変形破損する危険はない効果がある。従来の高圧洗浄機で家庭用エアコン、業務用エアコンさらにはＡＨＵまで同一の高圧洗浄機で作業を行えるようになるので、洗浄作業の機材費の負担を大きく軽減できる経済効果がある。また、アルミフィンをきれいに洗浄することにより、熱交換器の効率が改善され電気消費量が軽減できる効果及び前面フィルター及び中性能フィルターあるいは高性能フィルターの交換回数を低減する効果がある。さらにアルミフィンをきれいにすることにより、衛生的な安全な空気を室内に送り込む効果がある。高圧洗浄機のノズルから噴射した洗浄液が飛散して作業者に薬害を与えない効果がある。また、高圧洗浄機のノズルから噴射した洗浄液が周辺に飛散するのを防止しているので、薬液を無駄にすることなくアルミフィン内部を効率的に洗浄する効果がある。本発明が対象にしているＡＨＵは、多くの人が集まる大型施設であるので、なによりも安全、安心を優先して洗浄、管理することが要求されているものであり、上記の発明の効果が求められている。
【発明を実施するための最良の形態】
【実施例１】
【００１０】  以下、本発明の実施の形態を図１〜図７で説明する。【００１１】  図１はＡＨＵの概略構成図である。図１においては、１は筐体、２は前面フィルター、３は中性能フィルター、４はアルミフィン、５は送風ファン、６は送風ファンを駆動するモータ、７、８はＡＨＵ内部に入って各部品の調子を点検するためのドアー、１１は空気流入口、１２は空気供給口、１３，１４は空気の流れを示すものである。空気は１１から入って、１２から出て行く。室内の粉塵等の汚れは、前面フィルター２及び中性能フィルター３で捕獲されるが、長年の使用では必然的にアルミフィン４も汚れており、薬液洗浄が必要な状態である。ＡＨＵに装備してあるアルミフィン４の大きさは特許文献１〜４のそれらと比べると約１０〜１００倍以上大型である。該アルミフィン４の奥行きＨは２００〜９００ｍｍ程度で特許文献１〜４の１０倍以上あり、３〜５ＭＰａ程度の水圧ではアルミフィンに付着した奥の汚れまではきれいに洗浄することができない。３ＭＰａ以上の水圧をアルミフィン４に噴射した場合、アルミフィンの厚みは０、１〜０．３ｍｍ程度と薄いので少しでも斜めから薬液を噴射するとアルミフィン４は水圧で変形破損する危険がある。【００１２】  図２は、図１におけるアルミフィン４を正面９と裏面１０の両方向から洗浄している図面である。作業者Ｐはアルミフィンの正面９を、作業者Ｑは裏面１０を洗浄する。ＡＨＵには内部の部品の点検作業を容易に行えるように、７、８のドアーを設けている。７はアルミフィンの正面に出入りできるドアーであり、前面フィルター２及び中性フィルター３の汚れを点検、汚れていれば作業者は交換あるいは清掃している。８はその反対側、アルミフィンの裏面に出入りできるドアーであり、送風ファンの不具合を点検、故障の際は交換できるようになっている。これらのドアーは人間一人が出入りできる程度の大きさである。特許文献１〜４の洗浄作業で使用している高圧洗浄機の大きさならば、十分に持ち込み、持ち出し出来る大きさである。特許文献１〜４の高圧洗浄機の水圧、３〜５ＭＰａ程度の水圧があれば、アルミフィン４の中心位置に薬液を十分に噴射することができるので、両面から洗浄することにより、アルミフィン全体をきれいに洗浄することができる。また、次に説明する本発明のアダプターを高圧洗浄機のノズル先端に装着、アルミフィンに密着させて作業することにより、アルミフィンを破損することなく、作業者の安全を確保してより能率よく洗浄作業を行うことができる。【００１３】  図３、図４、図５に本発明の詳細図面ある。図３はアルミフィンにアダプター２１を押し当てた図（ノズルは省略した）である。一般にはアルミフィン４と銅管２０から構成、銅管２０に冷水あるいは温水を流してアルミフィン４を介して熱交換する構造である。アルミフィン４のピッチＸは経験的に約２〜３ｍｍであり、その厚さは０．１〜０．３ｍｍ程度の薄いアルミニュームの板である。外形形状Ｌ、Ｍ、Ｈの大きさは、建物に応じたＡＨＵが選定されており、Ｌ、Ｍ：１〜３ｍ、Ｈ：２００〜９００ｍｍ位の寸法である。図４はＡ−Ａ′部にパッド付アダプター２１（ノズルは省略した）を押し当てた状態を示す。図５はその断面図でアダ���ター２１の先端部にあるパッド２２はアルミフィン４の中に食い込んでいる。パッド２２を含むアダプターは軟質性の材料、たとえばゴム、ポリプロピレン等の素材で軟質性ある。パッド２２は細い繊維状を集合して形成しても良い。パッド２２はアルミフィン４を傷めずアルミフィンの隙間に容易に食い込で垂直に移動できるものである。先端部は５〜１０ｍｍ位の長さが適当である。ノズル２３から噴射した薬液はアルミフィン４に垂直に当たるので、５ＭＰａ程度の水圧ではアルミフィン４を変形破損することはない。また噴射する薬液もアルミフィン４の正面９と裏面１０の両面から洗浄するので、アルミフィン４の中心部を含めて、裏面１０までアルミフィンの奥の汚れを取り除くことができる。ピストルガン２４の移動はＡからＡ′方向あるいはＡ′からＡ方向の垂直方向に移動することになる。アダプター２１はノズル２３に設けた凸形状（突起物）２６に嵌め合う凹形状２７に装着機構部を加工することにより形成してある。アダプター２１はピストルガン２４から容易に装着、取り外しができる。アルミフィン４の洗浄には専用の薬液２５で洗浄、その後清水で薬液を洗い流す工程が一般的である。この際、アルミフィン４に付着した薬液を完全に取り去るためには、上記の水圧で薬液の１０倍以上の水量を高圧洗浄機でアルミフィンに噴射する必要がある。【００１４】    図６、図７は洗浄作業の能率向上のために考案した本発明第２の実施例、説明図である。アダプターの外形を長方形に形成、図６は正面図、図７は断面図である。図６，７においてバッド２２のピッチＸ’をアルミフィン４のピッチＸの２倍あるいは整数倍に合わせて設計したものである。これにより、パッド２２のアルミフィン４への挿入を容易にして作業性を向上させたものである。バッド２２のピッチＸ’をピッチＸの２倍にしたことにより、熱交換機の右端、左端に位置するアルミフィン４を洗浄する際には、アダプター２１を９０度回転することにより、バッド２２を端部により接近することができるので、端部に位置するアルミフィンをきれいに洗浄することができる。【００１５】  該アダブター付ピストルガン２４をアルミフィン４に密着、アルミフィン４の隙間に食い込ませて垂直に移動することにより、中性フィルター等を交換する作業の際に誤って変形させたアルミフィン４の隙間を整形、修正することができ、空気流の流れを円滑にすることができる。【００１６】
【産業上の利用可能性】  本発明の利用分野は、ＡＨＵアルミフィンの構造特性を利用した特許である。アルミフィンを利用した他の装置、地域冷暖房プラント、冷凍倉庫等への応用が考えられる。
【図面の簡単な説明】
【図１】本発明の実施形態を説明するためのエアハンドリングユニットの構成図
【図２】本発明の実施形態を説明するための説明図
【図３】本発明の実施形態を説明するための熱交換器アルミフィンの構成図
【図４】本発明の実施形態を説明する図（正面図）
【図５】図４の断面図
【図６】本発明の第２実施例を説明する図（正面図）
【図７】図６の断面図
【符号の説明】
【００１７】１  エアハンドリングユニットの筐体２  前面フィルター３  中性能フィルター４  熱交換器アルミフィン５  送風ファン６  モータ７、８  ＡＨＵ内部の部品を点検するためのドアー１１  空気流入口１２  空気供給口１３  空気流入方向１４  空気供給方向２０  銅管Ｌ、Ｍ、Ｈ  アルミフィンの外観寸法Ｘ    アルミフィンのピッチ寸法Ｘ’  ブラシ形状バッドのピッチ２１  パッド付アダプター２２  パッド２３  ノズル２４  ピストルガン２５  噴射した薬液２６  ノズルに設けた凸形状（突起物）２７  アダプターに設けた凹形状
【手続補正３】
【補正対象書類名】図面
【補正対象項目名】全図
【補正方法】変更
【補正の内容】
【図１】
2007303800.tif 000011
【図２】
2007303800.tif 000012
【図３】
2007303800.tif 000013
【図４】
2007303800.tif 000014
【図５】
2007303800.tif 000015
【図６】
2007303800.tif 000016
【図７】
2007303800.tif 000017